(57)【要約】【課題】光学式センサやセンサフラグを用いずとも、定着装置内の記録材の状態を検知可能な画像形成装置を提供する。【解決手段】定着ローラ１１７と、加圧ローラ１１８と、定着ローラ１１７の表面に設けられる絶縁膜１１６Ｘと、定着ローラ１１７及び加圧ローラ１１８へ印可する交流信号を生成する信号生成部５ｄと、加圧ローラ１１８がグランドに設置される一方で、定着ローラ１１７に接続される抵抗体２００と、交流信号の遅延量を検出する遅延検出部５ｃと、遅延検出部５ｃが検出した交流信号の遅延量と所定の値とを比較した結果に基づいて、定着ローラ１１７と加圧ローラ１１８の間の記録材Ｐの状態を判定する挟持検出部５ｅと、を備える画像形成装置１００を構成した。【選択図】  図３
2015206987.tif 000002
【特許請求の範囲】
【請求項１】
熱源を有する加熱手段と、
前記加熱手段と共に記録材を挟持することで、画像形成手段によって記録材上に形成された現像剤像を記録材へ定着させる加圧手段と、
前記加熱手段と前記加圧手段とのどちらか一方の表面に設けられる絶縁部材と、
前記加熱手段及び前記加圧手段へ印加する交流信号を生成する信号生成手段と、
前記加熱手段及び前記加圧手段のいずれか一方がグランドに接地される一方で、前記加熱手段及び前記加圧手段のいずれか他方に接続される抵抗体と、
前記交流信号の遅延量を検出する遅延検出手段と、
前記遅延検出手段が検出した前記交流信号の遅延量と所定の値とを比較し、その比較結果に基づいて、前記加熱手段と前記加圧手段との間の記録材の状態を判定する判定手段と、
を備えることを特徴とする画像形成装置。
【請求項２】
前記判定手段は、前記遅延量が前記所定の値よりも少ない場合に前記加熱手段と前記加圧手段との間に前記記録材が有ると判定することを特徴とする請求項１に記載の画像形成装置。
【請求項３】
前記加熱手段及び前記加圧手段のいずれか一方の表面が弾性を有し、
前記加熱手段が前記抵抗体に接続され、
前記加圧手段が前記グランドに接地されていることを特徴とする請求項１または請求項２に記載の画像形成装置。
【請求項４】
前記判定手段は、ユーザから前記画像形成装置の起動または画像形成の指示を受け付けたときに前記記録材の状態を判定し、
前記加熱手段と前記加圧手段は、前記判定手段が前記記録材有りと判定した場合に、前記記録材の搬送を停止することを特徴とする請求項１乃至請求項３のいずれか１項に記載の画像形成装置。
【請求項５】
前記判定手段は、ユーザから前記画像形成装置の起動または画像形成の指示を受け付けたときに前記記録材の状態を判定し、
前記判定手段が前記記録材有りと判定した場合に、ユーザへジャム処理を促す表示をする表示部をさらに備えることを特徴とする請求項１乃至請求項４のいずれか１項に記載の画像形成装置。
【請求項６】
前記判定手段は、ユーザから前記画像形成装置の起動または画像形成の指示を受け付けたときに前記記録材の状態を判定し、
前記判定手段が前記記録材無しと判定した場合に、前記画像形成装置の準備動作を開始することを特徴とする請求項１乃至請求項４のいずれか１項に記載の画像形成装置。
【請求項７】
表面に絶縁部材を有する回転可能な第１導電部材と、前記第１導電部材と共に回転することで記録材を挟持搬送可能な第２導電部材と、
前記第１導電部材及び前記第２導電部材へ印加する交流信号を生成する信号生成手段と、
前記第１導電部材及び前記第２導電部材のいずれか一方がグランドに接地される一方で、前記第１導電部材及び前記第２導電部材のいずれか他方に接続される抵抗体と、
前記交流信号の遅延量を検出する遅延検出手段と、
前記遅延検出手段が検出した前記交流信号の遅延量と所定の値とを比較し、その比較結果に基づいて、前記第１導電部材と前記第２導電部材の間の記録材の状態を判定する判定手段と、
を備えることを特徴とする記録材搬送装置。
【発明の詳細な説明】
【技術分野】
【０００１】
本発明は、未定着トナー像を記録材に定着させる定着装置を備える画像形成装置及び記録材搬送装置に関する。
【背景技術】
【０００２】
画像形成装置には、装置本体の内部で搬送される記録材がどの位置まで搬送されているかを検知するために、センサの検知範囲の記録材の有無を検知するセンサが設けられ、記録材の位置が検知される特許文献１に記載されるような構成がある。こうしたセンサとして、センサフラグや光学式センサが用いられることがある。
【０００３】
特に、定着装置の上流に位置する記録材の検知では、記録材に担持される未定着の現像剤像が崩されないようにするために、非接触型のセンサが用いられる。また、記録材に現像剤像が転写されるよりも記録材搬送方向の上流に配置されたセンサが用いられ、このセンサが検知したタイミングに基づいて、記録材が定着装置へ進入するタイミングを推測することも行われている。
【０００４】
一方で、定着装置の下流に位置する記録材の検知では、定着装置から搬送される記録材は、定着の過程で２００℃前後まで加熱された状態で搬送されるため、定着装置の下流は非常に高温となる。そのため、記録材を検知するセンサは、定着装置の熱による影響を受けない位置へ配置する工夫を行なわれている。例えば、記録材とセンサを物理的に離れた位置に配置し、光学式の反射型センサによって非接触方式で検知する。または、断熱壁とセンサフラグを設けて、センサに熱が伝わらない構成とし、間接的に記録材を検出するなどの方法が一般的にとられている。
【先行技術文献】
【特許文献】
【０００５】
【特許文献１】特開２０１３−１０５１３０号公報
【発明の概要】
【発明が解決しようとする課題】
【０００６】
しかしながら、定着装置は現像剤像を記録材に定着する過程で、非常に高温になるため、定着工程で発生する排熱が定着装置の周辺に広がり、定着装置の周囲の温度が高温になる傾向にある。記録材の検知に光学式センサが使用された場合には、長時間高温環境で使用される影響で、センサの機能の劣化が早まり、センサの故障が生じ得る。そのために、定着装置の近傍に光学式センサを配置することが難しい。
【０００７】
また、定着装置の排熱に対してセンサが影響を受け難くするために、光学式センサとセンサフラグ等の追加機構を組み合わせて記録材を検出する構成がとられることもあるが、装置本体の省スペース化の下で、スペースを確保することが難しい。
【０００８】
本発明は、上記実情に鑑み、光学式センサやセンサフラグを用いずとも、定着装置内の記録材の状態を検知可能な画像形成装置を提供することを目的とする。
【課題を解決するための手段】
【０００９】
上記目的を達成するために、本発明の画像形成装置は、熱源を有する加熱手段と、前記加熱手段と共に記録材を挟持することで、画像形成手段によって記録材上に形成された現像剤像を記録材へ定着させる加圧手段と、前記加熱手段と前記加圧手段とのどちらか一方の表面に設けられる絶縁部材と、前記加熱手段及び前記加圧手段へ印加する交流信号を生成する信号生成手段と、前記加熱手段及び前記加圧手段のいずれか一方がグランドに接地される一方で、前記加熱手段及び前記加圧手段のいずれか他方に接続される抵抗体と、前記交流信号の遅延量を検出する遅延検出手段と、前記遅延検出手段が検出した前記交流信号の遅延量と所定の値とを比較し、その比較結果に基づいて、前記加熱手段と前記加圧手段との間の記録材の状態を判定する判定手段と、を備えることを特徴とする。
【００１０】
本発明の記録材搬送装置は、表面に絶縁部材を有する回転可能な第１導電部材と、前記第１導電部材と共に回転することで記録材を挟持搬送可能な第２導電部材と、前記第１導電部材及び前記第２導電部材へ印加する交流信号を生成する信号生成手段と、前記第１導電部材及び前記第２導電部材のいずれか一方がグランドに接地される一方で、前記第１導電部材及び前記第２導電部材のいずれか他方に接続される抵抗体と、前記交流信号の遅延量を検出する遅延検出手段と、前記遅延検出手段が検出した前記交流信号の遅延量と所定の値とを比較し、その比較結果に基づいて、前記第１導電部材と前記第２導電部材の間の記録材の状態を判定する判定手段と、を備えることを特徴とする。
【発明の効果】
【００１１】
本発明によれば、光学式センサやセンサフラグを用いずとも、定着装置内の記録材の状態を検知可能となる。
【図面の簡単な説明】
【００１２】
【図１】実施例１に係る画像形成装置の断面図である。
【図２】定着装置と記録材検知センサの構成を示す概略図である。
【図３】ＭＰＵが記録材Ｐの有無を検出する制御工程を示すフローチャートである。
【発明を実施するための形態】
【００１３】
以下、図面を参照して、この発明を実施するための形態を実施例に基づいて例示的に詳しく説明する。ただし、この実施例に記載されている構成部品の寸法、材質、形状、その相対位置等は、発明が適用される装置の構成や各種条件により適宜変更されるから、特に特定的な記載が無い限りは、発明の範囲をそれらのみに限定する趣旨のものではない。
【実施例１】
【００１４】
図１は、実施例１に係る画像形成装置１００の断面図である。画像形成装置１００は装置本体１００Ａを有する。装置本体１００Ａの下部には、記録材Ｐを収納するカセット１０１が配置される。装置本体１００Ａには、カセット１０１の内部の記録材Ｐの有無を検知する有無センサ１０２と、カセット１０１の内部の記録材Ｐのサイズを検知するサイズ検知センサ１０３と、が設けられる。
【００１５】
また、装置本体１００Ａには、カセット１０１から記録材Ｐを繰り出すピックアップローラ１０４が設けられる。また、装置本体１００Ａには、ピックアップローラ１０４によって繰り出された記録材Ｐを搬送する給送ローラ１０５と、給送ローラ１０５と対をなし、記録材Ｐの重送を防止するためのリタードローラ１０６と、が設けられている。
【００１６】
また、装置本体１００Ａには、後述する両面反転部からの給送状態を検知する給送センサ１０７と、記録材Ｐを搬送する搬送ローラ１０８と、が配置される。また、記録材Ｐを同期搬送するレジストローラ対１０９と、レジストローラ対１０９への記録材Ｐの搬送状態を検知するレジ前センサ１１０と、が配置されている。
【００１７】
また、レジストローラ対１０９の記録材搬送方向の下流には、後述するスキャナ部１１１からのレーザ光に基づいて感光体ドラム１上にトナー像を形成するプロセスカートリッジ１１２が配置される。更に、その下流には、感光体ドラム１上に形成されたトナー像を記録材Ｐ上に転写するための転写ローラ１１３が配置されている。
【００１８】
さらに、転写ローラ１１３の下流には搬送ガイド１１５、記録材Ｐ上に転写されたトナー像を熱定着するための定着装置５００として、内部に加熱用のハロゲンヒータ１１６を備えた定着ローラ１１７と表面が導電性の加圧ローラ１１８が配置される。更に、その下流には、定着装置５００から搬送されてきた記録材Ｐを排出部か両面反転部に行き先を切り替えるための両面フラッパ１２０が配置される。また、排出部側の下流には排出部の記録材Ｐの搬送状態を検知する排出センサ１２１、記録材Ｐを排出する排出ローラ対１２２が配設されている。
【００１９】
一方、記録材Ｐの両面に印字するために片面印字終了後の記録材Ｐを表裏反転させ、再度画像形成部へと給送するための両面反転部側には、正逆転によって記録材Ｐをスイッチバックさせる反転ローラ対１２３が配置される。また、反転ローラ対１２３ヘの記録材Ｐの搬送状態を検知する反転センサ１２４、記録材Ｐの横方向位置を合わせるための横方向レジスト部（不図示）から記録材Ｐを搬送するためのＤカットローラ１２５が配置される。更に、両面反転部の記録材Ｐの搬送状態を検知する両面センサ１２６、両面反転部から給送部へと記録材Ｐを搬送するための両面搬送ローラ対１２７が配設されている。
【００２０】
また、スキャナ部１１１は、外部装置１２８から送出される画像信号に基づいて変調されたレーザ光を発光するレーザユニット１２９と、レーザユニット１２９からのレーザ光を感光体ドラム１上に走査するためのポリゴンミラー１３０と、を有する。また、スキャナ部１１１は、スキャナモータ１３１、結像レンズ群１３２、折り返しミラー１３３により構成されている。
【００２１】
そして、プロセスカートリッジ１１２は公知の電子写真プロセスに必要な感光体ドラム１、帯電ローラ２、現像ブレード１３４、トナー格納容器１３５等を具備しており、装置本体１００Ａに対して着脱可能に構成されている。
【００２２】
また、高圧電源部３は、帯電ローラ２、現像ブレード１３４、転写ローラ１１３、に所望の電圧を給電する高圧回路を有している。メインモータ１３６は各部に動力を供給している。
【００２３】
プリンタ制御部４は、画像形成装置１００を制御する部位であり、保存用メモリであるＲＡＭ５ａ、ＲＯＭ５ｂ、遅延検出部５ｃ、信号生成部５ｄ、挟持検出部５ｅ、カウンタ５ｆ等を具備したＭＰＵ（マイクロコンピュータ）５、及び各種入出力制御回路（不図示）等を有する。プリンタ制御部４はインターフェイス１３８を介してパーソナルコンピュータ等の外部装置１２８に接続されている。詳細については後述する。また、装置本体１００Ａには表示部３００が設けられ、この表示部３００は、後述する挟持検出部５ｅが記録材Ｐが有りと判定した場合に、ユーザにジャム処理を促す表示をすることがある。
【００２４】
図２は、定着装置５００と記録材検知センサの構成を示す概略図である。定着装置５００は、定着ローラ１１７と、加圧ローラ１１８と、ハロゲンヒータ１１６と、を備える。ＭＰＵ５は、ＲＡＭ５ａ、ＲＯＭ５ｂ、遅延検出部５ｃ、信号生成部５ｄ、挟持検出部５ｅ、カウンタ５ｆ、出力ポート５ｈ、入力ポート５ｉ等を具備している。
【００２５】
ＲＡＭ５ａは、ＭＰＵ５の作業領域およびデータの一時記憶領域である。ＲＯＭ５ｂは、画像形成装置１００を制御するためのファームウェアプログラムや、ファームウェアプログラムを制御するためのブートプログラムが書き込まれ、ＭＰＵ５によって使用される。
【００２６】
遅延検出部５ｃは、『遅延検出手段』として後述する伝搬遅延量の検出を行う。信号生成部５ｄは、『信号生成手段』として、定着ローラ１１７および加圧ローラ１１８へ印加するパルス信号（交流信号）を生成する。挟持検出部５ｅは、定着ローラ１１７と加圧ローラ１１８との間に記録材Ｐが挟持されているか否かを検出する。カウンタ５ｆは、遅延検出部５ｃで伝搬遅延量の検出を行うためにカウントを行う。出力ポート５ｈは、信号生成部５ｄにて生成した信号を出力し、入力ポート５ｉは受け付けた信号をＭＰＵ５に入力する。
【００２７】
表面が弾性を有する『第１導電部材』である定着ローラ１１７（加熱手段）は、回転しながら記録材Ｐに対して未定着の現像剤像を熱定着させるローラである。定着ローラ１１７は、表面に導電性を有する金属導体で構成されるローラである。また、定着ローラ１１７は、表面が『絶縁部材』である絶縁膜１１６Ｘで絶縁コーティングされている。定着ローラ１１７の内周側には熱源としてのハロゲンヒータ１１６が配置される。
【００２８】
表面が弾性を有する『第２導電部材』である加圧ローラ１１８（加圧手段）は、回転しながら定着ローラ１１７に対して加圧するローラである。加圧ローラ１１８は、表面に導電性を有し、ローラ表面とローラ軸が導通している。定着ローラ１１７と加圧ローラ１１８は、記録材Ｐを挟持搬送可能である。
【００２９】
絶縁膜は、定着ローラ１１７及び加圧ローラ１１８の少なくともいずれか一方の表面に設けられれば良く、定着ローラ１１７と加圧ローラ１１８が接触した場合に導通しないような構成であれば良い。
【００３０】
定着ローラ１１７と加圧ローラ１１８は、２つの異なる導体が絶縁膜を挟む構造のため、静電結合回路（コンデンサ）を形成する。この静電結合回路の静電容量は、次式（１）に示されるように、異なる２つの導体間の隣接する面積に比例し、隣接する導体間の距離に反比例する関係は公知である。真空の誘電率をε０、紙や絶縁物の誘電率をεｓ、金属板間の面積をＳ、金属板どうしの距離をＬとした場合の静電容量Ｃを式（１）に示す。
【００３１】
［数１］  Ｃ＝ε０×εｓ×Ｓ／Ｌ・・・（１）
【００３２】
本実施例では、ε０を定着ローラ１１７の誘電率、εｓを絶縁膜および紙の誘電率、Ｓを定着ローラ１１７と加圧ローラ１１８のニップ面積、Ｌを定着ローラ１１７と加圧ローラ１１８間の距離としている。
【００３３】
例えば、定着ローラ１１７と加圧ローラ１１８との間に記録材Ｐ等が挟持された場合、定着ローラ１１７と加圧ローラ１１８のニップ面積Ｓは、記録材Ｐを挟持している時としていない時でほぼ変化がない。一方、定着ローラ１１７と加圧ローラ１１８との距離Ｌは、挟持された記録材Ｐの厚さだけ間隔が離れる。この時、定着ローラ１１７と加圧ローラ１１８間で形成される静電容量は記録材Ｐの厚さに反比例して減少する。
【００３４】
このとき、定着ローラ１１７または加圧ローラ１１８のどちらか一方をＧＮＤ（グランド）へ接地して、抵抗体２００をＧＮＤへ接地されていない他方のローラへ接続すると、ＣＲフィルタを形成する事ができる。
【００３５】
本実施例では、ここで形成されるＣＲフィルタを用いることで、定着ローラ１１７と加圧ローラ１１８との間の記録材Ｐの有無を検知する。そこで、加圧ローラ１１８をＧＮＤへ接地し、抵抗体２００を定着ローラ１１７の導体へ接続している。
【００３６】
この時、図２の様にＭＰＵ５の出力ポート５ｈから抵抗体２００へ任意のロジック波形を出力すると、入力ポート５ｉで検出されるロジック波形は、抵抗体２００と定着ローラ１１７および加圧ローラ１１８が構成するコンデンサとによって伝搬遅延が発生する。このときの伝搬遅延は、次式（２）に示す時定数τに対応している。
【００３７】
［数２］τ＝Ｒ×Ｃ・・・（２）
【００３８】
この時定数τが小さいと信号の立ち上がり（立ち下がり）が早くなり、時定数τが大きいと信号の立ち上がり（立ち下がり）が遅くなる。
【００３９】
本実施例では、抵抗体２００が固定値であるため、時定数τは定着ローラ１１７と加圧ローラ１１８とで構成するコンデンサ容量に依存している。先述したように、ＣＲフィルタを構成しているコンデンサ容量は、定着ローラ１１７と加圧ローラ１１８との距離Ｌの変化によって変動する。
【００４０】
そのため、定着ローラ１１７と加圧ローラ１１８との間に記録材Ｐが挟持されている場合は静電容量Ｃが小さくなる。そして、定着ローラ１１７と加圧ローラ１１８との間に記録材Ｐが挟持されていないときに比べて時定数τが小さくなる。その結果、記録材Ｐが挟持されていないときに比べて信号の立ち上がりが早くなる。
【００４１】
従って、定着ローラ１１７と加圧ローラ１１８との間に記録材Ｐが挟持されている状態では、記録材Ｐが挟持されていない状態に比べてＣＲフィルタを構成する抵抗体２００を伝搬する信号の遅延時間が短くなる。そこで、ロジック波形の伝搬遅延時間を比較することで（比較結果を導出し）、定着ローラ１１７と加圧ローラ１１８とに記録材Ｐが挟持されているか否かを検出することができる。遅延量の検出については、遅延検出部５ｃで行う。
【００４２】
次に、本実施例における伝搬遅延量の検出方法を説明する。まず、ＭＰＵ５は信号生成部５ｄにて生成するロジック波形を出力ポート５ｈから出力したタイミングでカウンタ５ｆのカウントをスタートさせる。そして、抵抗体２００の片端へ接続しているＭＰＵ５の入力ポート５ｉの端子で先に出力ポート５ｈから出力したロジック信号を検出した時、カウンタ５ｆのカウント値を読み出す。このときのカウント値から、本実施例におけるＣＲフィルタで発生した任意のロジック信号の伝搬遅延量を検出することができる。
【００４３】
ここで、ＲＡＭ５ａは、定着ローラ１１７と加圧ローラ１１８との間に記録材が挟持されていない場合の信号の遅延量を基準値（所定の値）として保存している。
【００４４】
挟持検出部５ｅは、遅延検出部５ｃにて検出される遅延量と、ＲＡＭ５ａが保存する基準値とを比較することで、定着ローラ１１７と加圧ローラ１１８とに記録材Ｐが挟持されているか否かを判定する。
【００４５】
次に、図３を用いて画像形成装置１００の電源投入時または印刷ジョブ受付時の定着装置５００内の記録材Ｐの有無判定について説明する。図３は、ＭＰＵ５が定着装置５００内の記録材Ｐの有無を検出する制御工程を示すフローチャートである。ＭＰＵ５は、電源投入時または印刷ジョブを受付けると、出力ポート５ｈから任意のロジック波形を出力する（Ｓ３０１）。そして、ＭＰＵ５は、カウンタ５ｆのカウントをスタートさせる（Ｓ３０２）。ＭＰＵ５は、入力ポート５ｉにて任意のロジック波形が検出されるのを待つ（Ｓ３０３のＮｏ）。
【００４６】
ＭＰＵ５は、出力した任意のロジック波形が抵抗体２００を経由して入力ポート５ｉにて検出された時（Ｓ３０３のＹｅｓ）、遅延検出部５ｃにてカウンタ５ｆのカウント値を読出す（Ｓ３０４）。ＭＰＵ５は、Ｓ３０４で読み出したカウント値と、事前にＲＡＭ５ａへ保存されている基準値とを挟持検出部５ｅにて比較する（Ｓ３０５）。Ｓ３０５にて遅延検出部５ｃが読み出したカウント値が予めＲＡＭ５ａに保存されている基準値より小さい場合、抵抗体２００を経由して伝搬したロジック波形の伝搬遅延量が小さい、すなわち定着ローラ１１７と加圧ローラ１１８間が離れていると判断し記録材Ｐがローラ間に挟持されていると識別する。
【００４７】
記録材Ｐが各ローラ間に挟持されていると判断された場合は、記録材Ｐの搬送用のメインモータ駆動を実施せず、ジャムをユーザへ通知してユーザにジャム除去を促し（Ｓ３０８）、プリンタ制御を中断する。このときに、定着ローラ１１７及び加圧ローラ１１８は、記録材Ｐの搬送を停止しても良い。ＭＰＵ５は、ユーザによってジャム除去されたと判断した（Ｓ３０９のＹｅｓ）後、再度ＭＰＵ５から任意のロジック波形を出力する（Ｓ３０１）。
【００４８】
ＭＰＵ５は、遅延検出部５ｃにて読み出したカウント値が基準値より大きい場合、各ローラ間に記録材Ｐが挟持されていないと判断し、イニシャル処理（準備動作）を開始する（Ｓ３０６）。ここで、イニシャル処理とは画像形成装置を印刷可能とするためにウォームアップさせる動作のことを指す。ＭＰＵ５は、スタンバイ状態または印刷ジョブ処理を実行する（Ｓ３０７）。
【００４９】
実施例の構成によれば、光学式センサやセンサフラグを設けることなく、定着装置５００内の記録材Ｐの有無を検知できるため、定着ローラ１１７と加圧ローラ１１８とに挟持される記録材Ｐの滞留を検知することができる。そのため、画像形成装置１００の電源ＯＮの直後に実施する起動処理（または画像形成の指示を受けたとき）において、定着ローラ１１７と加圧ローラ１１８とをウォームアップさせたときに、定着ローラ１１７と加圧ローラ１１８間に記録材Ｐが滞留していた場合、ヒータ点灯による加熱によって誤って定着ローラ１１７と加圧ローラ１１８とに挟持された状態の記録材Ｐを加熱破損させることがない。さらに、定着装置５００の熱による光学センサの機能劣化を回避しつつ、記録材Ｐ検知手段の省スペース化を実現する。
【００５０】
以上の実施例では、電源投入時または印刷ジョブ受付時において定着装置５００内の記録材Ｐの有無判定を行ったが、画像形成動作中などに行ってもよい。そうすることで、画像形成動作中に定着装置内でジャムが発生したことを検知することができる。
【００５１】
また、上記の実施例では、信号の伝搬遅延量から定着ローラ１１７と加圧ローラ１１８との間に記録材Ｐが挟持されているか否かを判定したが、同様の構成を用いて記録材に含まれる水分量や、記録材の種類、厚み等の記録材の状態を検知する構成としてもよい。また、装置に直流電流を流している場合は、抵抗値の変化を検知し、抵抗値の変化に基づいて記録材の状態を検知するような構成としてもよい。
【符号の説明】
【００５２】
５ａ      ＲＡＭ
５ｂ      ＲＯＭ
５ｃ      遅延検出部（遅延検出手段）
５ｄ      信号生成部（信号生成手段）
５ｅ      挟持検出部（判定手段）
１００    画像形成装置
１１６Ｘ  絶縁膜（絶縁部材）
１１７    定着ローラ（第１導電部材）（加熱手段）
１１８    加圧ローラ（第２導電部材）（加圧手段）
２００    抵抗体
ＧＮＤ    グランド
【図１】
2015206987.tif 000003
【図２】
2015206987.tif 000004
【図３】
2015206987.tif 000005